(57)【特許請求の範囲】
【請求項１】
室内と室外を連通するように、壁に埋設された風洞パイプに装着される筒状部と、前記筒状部に設けたモータを軸方向に保持するためのモータ脚と、前記筒状部の室内側開口の外周に半径方向に張り出した略方形状に形成されたフランジ部と、前記フランジ部の周辺の壁側に形成された立ち上がり部とを設けた本体フレームと、
複数の電源線を差し込む電源差込孔と、隣り合う前記電源差込孔同士の間の仕切壁と、前記電源線を引き抜く際に上方より押圧する解除ボタンと、前記電源差込孔の後方に配置された電源線固定用のバネと、前記バネにより前記電源線を挟み込み固定することで通電する通電用の金具とを設けた電源接続端子と、を有し、
前記電源接続端子は前記フランジ部の裏面に配置し、前記解除ボタンに設けたガイドリブが、前記仕切壁の間に設けた溝の間に配置され、
前記溝の底面に開口を設けたことを特徴とする換気装置。
【請求項２】
前記電源接続端子に、前記解除ボタンと同じ面の前記電源差込孔側の端部に前記フランジ部の背面側の端面と同じ高さの突起を設けたことを特徴とする請求項１に記載の換気装置。
【発明の詳細な説明】
【技術分野】
【０００１】
本発明は羽根を回転駆動するためのモータと、モータに電源供給を行うための電源接続端子を備えた換気装置に関するものである。
【背景技術】
【０００２】
従来、この種の換気装置は、モータと電気的に接続された電源接続端子を備えた換気装置においては、電源線の被覆を除去して電源接続端子に差し込むだけで結線ができ、モータが駆動できるものである。
【０００３】
従来この種の換気装置の例として、本体枠内に電源接続端子を設置したものが知られている（例えば特許文献１参照）。
【０００４】
以下その換気装置について図７を参照しながら説明する。
【０００５】
図７に示すように、ファンモータ１０１を設けた換気扇本体１０２の室内側に、裏面側に凹部１０３を形成したフランジ部１０４を設け、フランジ部１０４の凹部１０３に収納される形状で、ファンモータ１０１と電気的に接続される電源接続端子１０５を設け、電源接続端子１０５の一端を回動自在に支持するように、フランジ部１０４に支持ピン１０６を有した一対の支持台１０７を設け、電源接続端子１０５の一端には支持ピン１０６の係合部を設けたという構成としている。
【先行技術文献】
【特許文献】
【０００６】
【特許文献１】特許第３４３００３２号公報
【発明の概要】
【発明が解決しようとする課題】
【０００７】
このような従来の換気装置においては、換気装置に装着される電源取付け用の電源接続端子において、異極間の沿面距離を大きくすれば品質が良くなるが、それにより装置自体が大きくなる、という課題を有していた。
【０００８】
そこで本発明は、上記従来の課題を解決するものであり、装置自体を大きくせずに電源接続端子の品質を向上させることができる換気装置を提供することを目的とする。
【課題を解決するための手段】
【０００９】
そして、この目的を達成するために、本発明は、室内と室外を連通するように、壁に埋設された風洞パイプに装着される筒状部と、前記筒状部に設けたモータを軸方向に保持するためのモータ脚と、前記筒状部の室内側開口の外周に半径方向に張り出した略方形状に形成されたフランジ部と、前記フランジ部の周辺の壁側に形成された立ち上がり部とを設けた本体フレームと、複数の電源線を差し込む電源差込孔と、隣り合う前記電源差込孔同士の間の仕切壁と、前記電源線を引き抜く際に上方より押圧する解除ボタンと、前記電源差込孔の後方に配置された電源線固定用のバネと、前記バネにより前記電源線を挟み込み固定することで通電する通電用の金具とを設けた電源接続端子と、を有し、前記電源接続端子は前記フランジ部の裏面に配置し、前記解除ボタンに設けたガイドリブが、前記仕切壁の間に設けた溝の間に配置され、前記溝の底面に開口を設けた換気装置であり、これにより所期の目的を達成するものである。
【発明の効果】
【００１０】
本発明によれば、室内と室外を連通するように、壁部に埋設された風洞パイプに装着される筒状部と、前記筒状部に設けたモータを軸方向に保持するためのモータ脚と、前記筒状部の室内側開口の外周に半径方向に張り出した略方形状に形成されたフランジ部と、前記フランジ部の周辺の前記壁部側に形成された立ち上がり部とを設けた本体フレームと、複数の電源線を差し込む電源差込孔と、隣り合う前記電源差込孔同士の間の仕切壁と、電源線を引き抜く際に上方より押圧する解除ボタンと、前記電源差込孔の後方に配置された電源線固定用のバネと、バネにより電源線を挟み込み固定することで、通電する通電用の金具とを設けた電源接続端子を有し、前期電源接続端子は前記フランジ部の裏面に配置し、前記解除ボタンに設けたガイドリブが、前記仕切壁の間に設けた溝の間に配置される構成を有する。これにより、異極端子間に電気が流れないこととなるので、装置自体を大きくせず電源接続端子の品質を向上させることができる、という効果を得ることができる。
【図面の簡単な説明】
【００１１】
【図１】本発明の実施の形態１の換気装置の構成を示す側断面図
【図２】同換気装置の速結端子の構成を示す斜視図
【図３】同換気装置の速結端子の構成を示す正面断面図
【図４】同換気装置の速結端子の構成を示す側断面図
【図５】同換気装置の速結端子と本体フレームとの配置を示す側断面図
【図６】同換気装置の別形態の速結端子の構成を示す斜視図
【図７】従来の換気装置の構成を示す斜視図
【発明を実施するための形態】
【００１２】
本発明の請求項１記載の換気装置は、室内と室外を連通するように、壁に埋設された風洞パイプに装着される筒状部と、前記筒状部に設けたモータを軸方向に保持するためのモータ脚と、前記筒状部の室内側開口の外周に半径方向に張り出した略方形状に形成されたフランジ部と、前記フランジ部の周辺の壁側に形成された立ち上がり部とを設けた本体フレームと、複数の電源線を差し込む電源差込孔と、隣り合う前記電源差込孔同士の間の仕切壁と、前記電源線を引き抜く際に上方より押圧する解除ボタンと、前記電源差込孔の後方に配置された電源線固定用のバネと、前記バネにより前記電源線を挟み込み固定することで通電する通電用の金具とを設けた電源接続端子と、を有し、前記電源接続端子は前記フランジ部の裏面に配置し、前記解除ボタンに設けたガイドリブが、前記仕切壁の間に設けた溝の間に配置され、前記溝の底面に開口を設けた構成を有する。これにより、異極端子間に電気が流れないこととなるので、装置自体を大きくせず電源接続端子の品質を向上させることができる、という効果を奏する。
【００１３】
また、前記溝の底面に開口を設けているため、開口から水を排出することとなるので、更に装置自体を大きくせず電源接続端子の品質を向上することができる、という効果を奏する。
【００１４】
また、前記電源接続端子に、前記解除ボタンと同じ面の前記電源差込孔側の端部に前記フランジ部の背面側の端面と同じ高さの突起を設けた、という構成にしてもよい。これにより、前記突起が壁面や天井面に当たって電源接続端子が戻ることとなるので、電源接続端子の戻し忘れを防止することができる、という効果を奏する。
【００１５】
以下、本発明の実施の形態について図面を参照しながら説明する。
【００１６】
（実施の形態１）
図１〜図４に示すように、室内２６と室外２７を連通するように、壁部１に埋設された風洞パイプ２に装着される筒状部３と、筒状部３に設けた例えばコストが安いＡＣモータ４を筒状部３の中心軸である軸方向に保持するための例えば３本のモータ脚５と、この筒状部３の室内側開口２８の外周に半径方向に張り出した略方形状に形成されたフランジ部６と、フランジ部６の周辺の壁部１側に形成された例えば長さが２５ｍｍ程度の立ち上がり部７とを設けた本体フレーム８と、複数の電源線２９を差し込む円形状の電源差込孔９と、隣り合う電源差込孔９同士の間に難燃を確保するために厚みが０．８ｍｍ以上ある仕切壁１０と、電源線２９を引き抜く際に上方より押圧する解除ボタン１１と、電源差込孔９の後方すなわち差し込む方向に配置された電源線固定用のバネ１２と、バネ１２により電源線２９を挟み込み固定することで通電する通電用の金具１３とを設けた電源接続端子１４を有し、電源接続端子１４はフランジ部６の壁部１側である裏面に配置し、解除ボタン１１に設けた一部分であるガイドリブ１５が、複数の仕切壁１０の間に設けた溝１６の間に差し込まれるように配置される構成とする。
【００１７】
また、図３に示すように、電源接続端子１４において、溝１６の室内２６側である底面３０に方形状の開口１７を設ける構成とする。
【００１８】
また、図５に示すように、電源接続端子１４は本体フレーム８に対して回動軸１８を軸として矢印方向に９０度まで回動する構成とし、電源接続端子１４に、解除ボタン１１と同じ面の電源差込孔９側の端部に突起１９を設け、突起１９の高さａが立ち上がり部７の壁部１側である背面側の端面２０と同一面上になるような構成とする。
【００１９】
また、図６に示すように、電源接続端子１４が端子ケース２１と端子カバー２２という別々の部品で構成し、端子ケース２１に、端子カバー２２の下端と接するような端子ケース２１と端子カバー２２との間に隙間がないように端子カバー２２の下端の形状と類似形状のリブ２３を設ける構成とする。
【００２０】
また、図３に示すように、解除ボタン１１が解除時に矢印方向に押圧され矢印方向に移動した際、解除ボタン１１に設けた一部分であるストッパー部２４が金具１３の天面２５に接する構成とする。
【００２１】
このような構成にすることで、隣接し異極端子となっている金具１３同士との間の異極間の沿面距離３１が、仕切壁１０と仕切壁１０との間に設けた溝１６と溝１６に差し込まれて配置されたガイドリブ１５によって迷路形状となっており、沿面距離３１を大きくすることで異極端子間の電流が流れを防止して異極端子間の短絡を防止することとなり、換気装置および電源接続端子１４自体の大きさを大きくすることなく、装置としての品質を向上することができる。
【００２２】
また、電源接続端子１４の溝１６の底面３０に開口１７を設けることにより、電源接続端子１４の内部に外部から水が浸入した際に、内部に浸入した水が、底面３０に設けた開口１７を通って電源接続端子１４の外部に排出されることとなるため、万が一電源接続端子１４内部へ水が浸入した場合においても、異極端子間の短絡等の事象に対して、品質を向上することができる。
【００２３】
また、電源接続端子１４に立ち上がり部７の端面２０と同一面上の突起１９を設けたことにより、電源線２９を電源差込孔９に挿入して接続する時に電源接続端子１４を回動軸１８を基点にして回動させ、その後、電源接続端子１４をフランジ部６裏面の所定の位置に戻すことをしなかったとしても、壁部１に換気装置を施工すると、突起１９が壁部１に接触して押されるので特になにもしなくても電源接続端子１４を所定の位置に戻ることとなり、電源接続端子１４の所定の位置への戻し忘れを防止することができる。
【００２４】
また、電源接続端子１４を端子ケース２１と端子カバー２２を別々の部品で構成した際に、端子カバー２２の下端と接するように端子ケース２１に設けたリブ２３が接していることで、容易に端子カバー２２の下端に触れられないこととなり、端子カバー２２が容易に例えば指などで持ち上げられて外れてしまうことを防ぐことができるので、安全性を向上することができる。
【００２５】
また、電源線２９を抜くために解除ボタン１１を上方より押圧する際に、解除ボタン１１を押圧していくと、ストッパー部２４が金具１３の天面２５に接触して停止し、それ以上押圧することができなくなることで、過剰な押圧によるバネ１２の塑性変形を防止することができ、電源接続端子１４と電源線２９を確実に接続することで品質を向上することができる。
【産業上の利用可能性】
【００２６】
本発明にかかる換気装置は、換気装置自体を大きくせず速結端子の品質を向上させることができることを可能とするものであるので、壁面または天井に設置され、屋外と連通するダクトに接続され、室内の換気を行う空気調和機等として有用である。
【符号の説明】
【００２７】
１    壁部
２    風洞パイプ
３    筒状部
４    モータ
５    モータ脚
６    フランジ部
７    立ち上がり部
８    本体フレーム
９    電源差込孔
１０  仕切壁
１１  解除ボタン
１２  バネ
１３  金具
１４  電源接続端子
１５  ガイドリブ
１６  溝
２６  室内
２７  室外
２８  室内側開口
２９  電源線
３０  底面
３１  沿面距離
【図１】
0006427760.tif 000002
【図２】
0006427760.tif 000003
【図３】
0006427760.tif 000004
【図４】
0006427760.tif 000005
【図５】
0006427760.tif 000006
【図６】
0006427760.tif 000007
【図７】
0006427760.tif 000008